(57)【要約】      （修正有）【課題】人形飾り台を一層見映えの良いものにすると共に、人形飾り台の使用者ないし看者に大きな喜びと幸福感とを与えるようにした人形飾り台を提供する。【解決手段】それぞれ上面の載置部と前面板とを有する少なくとも三つの飾り段を備えた人形飾り台において、該人形飾り台における中央部には、最上段５ａにおける載置部１ａの後縁部より該載置部１ａの前縁部１ａ”と該最上段５ａの前面板３ａの前方とを経て、順次、次段５ｂにおける載置部１ｂの後縁部１ｂ’より該載置部１ｂの前縁部１ｂ”と当該次段５ｂの前面板３ｂの前方とを経て、最下段５ｃにおける載置部１ｃの後縁部１ｃ’より該載置部１ｃの前縁部１ｃ”を経て該最下段５ｃの前面板３ｃの前方に至る布片７を各載置部１ａ、１ｂ、１ｃと平面視略直角方向に配設したことを特徴とする。【選択図】図１
0003174188.tif 000002
【実用新案登録請求の範囲】
【請求項１】
それぞれ上面の載置部と前面板とを有する少なくとも三つの飾り段を備えた人形飾り台において、
該人形飾り台における中央部には、最上段における載置部の後縁部より該載置部の前縁部と該最上段の前面板の前方とを経て、順次、次段における載置部の後縁部より該載置部の前縁部と当該次段の前面板の前方とを経て、最下段における載置部の後縁部より該載置部の前縁部を経て該最下段の前面板の前方に至る布片を各載置部と平面視略直角方向に配設したことを特徴とする人形飾り台。
【請求項２】
それぞれ上面の載置部と前面板とを有する二つの飾り段を備えた人形飾り台において、
該人形飾り台における中央部には、上段における載置部の後縁部より該載置部の前縁部と該上段の前面板の前方とを経て、下段における載置部の後縁部より該載置部の前縁部を経て該下段の前面板の前方に至る布片を各載置部と平面視略直角方向に配設したことを特徴とする人形飾り台。
【請求項３】
上面の載置部と前面板とを有する略直方体状の人形飾り台において、
該人形飾り台における中央部には、該載置部の後縁部より該載置部の前縁部を経て該前面板の前方に至る布片を該載置部と平面視略直角方向に配設したことを特徴とする人形飾り台。
【考案の詳細な説明】
【技術分野】
【０００１】
本考案は、三月人形、五月人形等の人形を雛具等の付属品と共に載置して飾るための人形飾り台に関するものである。
本考案における人形飾り台には、二段、三段、五段、七段等の飾り段の他、一段飾り、平飾り、更には、人形及びその付属品を内部に収納することができるようにした収納飾り台も含まれる。
【背景技術】
【０００２】
人形飾り台としては、二段、三段、五段、七段等の飾り段の他、一段飾り、平飾り、更には、人形及びその付属品を内部に収納することができるようにした収納飾り台が従来より知られている。
【０００３】
例えば実用新案登録第３０９４７００号公報は、節句人形とその付属品とを各段に載置するようにした三段の飾り段を備えた三段飾りを開示している。
【先行技術文献】
【特許文献】
【０００４】
【特許文献１】実用新案登録第３０９４７００号公報
【考案の概要】
【考案が解決しようとする課題】
【０００５】
上記従来の人形飾り台は、好ましいものではあるが、本考案は、人形飾り台を一層見映えの良いものにすると共に、人形飾り台の使用者ないし看者に大きな喜びと幸福感とを与えるようにした人形飾り台を提供しようとしてなされたものである。
【課題を解決するための手段】
【０００６】
上記課題を解決するために、本考案は、下記の人形飾り台を提供するものである。
【０００７】
（１）それぞれ上面の載置部と前面板とを有する少なくとも三つの飾り段を備えた人形飾り台において、
該人形飾り台における中央部には、最上段における載置部の後縁部より該載置部の前縁部と該最上段の前面板の前方とを経て、順次、次段における載置部の後縁部より該載置部の前縁部と当該次段の前面板の前方とを経て、最下段における載置部の後縁部より該載置部の前縁部を経て該最下段の前面板の前方に至る布片を各載置部と平面視略直角方向に配設したことを特徴とする人形飾り台（請求項１）。
【０００８】
（２）それぞれ上面の載置部と前面板とを有する二つの飾り段を備えた人形飾り台において、
該人形飾り台における中央部には、上段における載置部の後縁部より該載置部の前縁部と該上段の前面板の前方とを経て、下段における載置部の後縁部より該載置部の前縁部を経て該下段の前面板の前方に至る布片を各載置部と平面視略直角方向に配設したことを特徴とする人形飾り台（請求項２）。
【０００９】
（３）上面の載置部と前面板とを有する略直方体状の人形飾り台において、
該人形飾り台における中央部には、該載置部の後縁部より該載置部の前縁部を経て該前面板の前方に至る布片を該載置部と平面視略直角方向に配設したことを特徴とする人形飾り台（請求項３）。
【考案の効果】
【００１０】
本考案によれば、人形飾り台における中央部には、布片を載置部と平面視略直角方向に配設したため、該布片は、前後方向の一筋の道を形成し、いわば「バージンロード」を髣髴させるものとなる。因みに、「バージンロード」は、キリスト教会における結婚式の際に、教会の入口から祭壇まで赤絨毯を布設することにより形成された花嫁用の通路である。
【００１１】
したがって、本考案による人形飾り台は、人形飾り台の使用者ないし看者に大きな喜びと幸福感とを与えるものである。例えば、娘には花嫁衣裳をまとって人形と共に教会のバージンロードを歩くという夢を与え、親には花嫁姿の娘が教会のバージンロードを歩く情景を想像するという喜びを与えるものである。また、該人形飾り台が一層見映えの良いものとなることはいうまでもない。すなわち、バージンロードを髣髴させる布片を備えた本考案による人形飾り台は、伝統と現代のセンスとを融合させてなるものである。
【図面の簡単な説明】
【００１２】
【図１】図１は、本考案による人形飾り台の一例を示す斜視図である。
【図２】図２は、人形飾り台の一例を概略的に示す斜視図である。
【図３】図３は、同上人形飾り台の別の一例を概略的に示す斜視図である。
【図４】図４は、同上人形飾り台の更に別の一例を概略的に示す斜視図である。
【図５】図５は、同上人形飾り台の更に別の一例を概略的に示す斜視図である。
【考案を実施するための形態】
【００１３】
まず、図１、図２に示すように、それぞれ上面の載置部１と前面板３とを有する少なくとも三つの飾り段５を備えた人形飾り台の場合について説明する。この人形飾り台は、例えば三段、五段、七段等の飾り段である。
【００１４】
三段の飾り段の場合には、図１、図２に示すように、該人形飾り台における中央部には、最上段５ａにおける載置部１ａの後縁部１ａ’より該載置部１ａの前縁部１ａ”と該最上段５ａの前面板３ａの前方とを経て、順次、次段５ｂにおける載置部１ｂの後縁部１ｂ’より該載置部１ｂの前縁部１ｂ”と当該次段５ｂの前面板３ｂの前方とを経て、最下段５ｃにおける載置部１ｃの後縁部１ｃ’より該載置部１ｃの前縁部１ｃ”を経て該最下段５ｃの前面板３ｃの前方に至る布片７を各載置部１ａ、１ｂ、１ｃと平面視略直角方向に配設する。
【００１５】
図１、図２に示す事例においては、布片７の前端部７ａは略三角形状に形成されている。
【００１６】
五段、七段等の飾り段の場合には、上記三段の飾り段の場合と同様に、布片７を各段に沿って順次配設する。
【００１７】
図１において、符号１１に示すものは人形、符号１３に示すものは屏風、符号１５に示すものは雛具である。
【００１８】
次に、図３に示すように、それぞれ上面の載置部１と前面板３とを有する二つの飾り段を備えた人形飾り台について説明する。この人形飾り台は、二段の飾り段である。
【００１９】
該人形飾り台における中央部には、上段５ｄにおける載置部１ｄの後縁部１ｄ’より該載置部１ｄの前縁部１ｄ”と該上段５ｄの前面板３ｄの前方とを経て、下段５ｅにおける載置部１ｅの後縁部１ｅ’より該載置部１ｅの前縁部１ｅ”を経て該下段５ｅの前面板３ｅの前方に至る布片７’を各載置部１ｄ、１ｅと平面視略直角方向に配設する。
【００２０】
図３に示す事例においては、布片７’の前端部７’ａは略三角形状に形成され、該前端部７’ａには名前１７が表示されている。
【００２１】
続いて、図４、図５に示すように、上面の載置部１と前面板３とを有する略直方体状の人形飾り台について説明する。図４に示す人形飾り台は、人形及びその付属品を内部に収納することができるようにした一段の収納飾り台である。図５に示す人形飾り台は、一段飾りないし平飾りである。
【００２２】
該人形飾り台における中央部には、載置部１ｆの後縁部１ｆ’より該載置部１ｆの前縁部１ｆ”を経て前面板３ｆの前方に至る布片７”を該載置部１ｆと平面視略直角方向に配設する。
【００２３】
図４に示す事例においては、布片７”の前端部７”ａは略三角形状に形成され、該前端部７”ａには房１９が取り付けられている。
【００２４】
図５に示す事例においては、布片７”の前端部７”ａは略三角形状に形成されている。
【００２５】
布片７、７’、７”は、例えば毛せん、ちりめん、友禅、フェルト等により形成される。
【符号の説明】
【００２６】
１  載置部
１ａ  載置部
１ａ’  後縁部
１ａ”  前縁部
１ｂ  載置部
１ｂ’  後縁部
１ｂ”  前縁部
１ｃ  載置部
１ｃ’  後縁部
１ｃ”  前縁部
１ｄ  載置部
１ｄ’  後縁部
１ｄ”  前縁部
１ｅ  載置部
１ｅ’  後縁部
１ｅ”  前縁部
１ｆ  載置部
１ｆ’  後縁部
１ｆ”  前縁部
３  前面板
３ａ  前面板
３ｂ  前面板
３ｃ  前面板
３ｄ前面板
３ｅ  前面板
３ｆ  前面板
５  飾り段
５ａ  最上段
５ｂ  次段
５ｃ  最下段
５ｄ  上段
５ｅ  下段
７  布片
７ａ  前端部
７’  布片
７’ａ  前端部
７”  布片
７”ａ  前端部
１１  人形
１３  屏風
１５  雛具
１７  名前
１９  房
【図１】
0003174188.tif 000003
【図２】
0003174188.tif 000004
【図３】
0003174188.tif 000005
【図４】
0003174188.tif 000006
【図５】
0003174188.tif 000007